(57)【要約】【課題】簡易かつ廉価な構成によって隣接放送信号による妨害を排除することができなかった。【解決手段】マイコン３０は、予め用意されたプリセットデータ３２ａを参照することによって希望放送信号に隣接する周波数帯域において隣接放送信号が存在するか否かを簡易的に判断し、存在すると判断した場合には、ＡＧＣ回路２１が基準値をそれまでよりも低く設定する。その結果、高周波増幅回路１１でのＲＦ‐ＡＧＣ電圧による利得制御が実行される条件が緩和され、放送信号の電界強度が比較的低い段階から同利得制御が実行されるようになる。隣接放送信号対する不要な増幅処理によって高周波増幅回路１１が飽和してしまったり、同隣接放送信号による混変調や画面上への映り込みやノイズが発生するといった各種妨害を効果的に防止することができる。【選択図】  図１
2006148785.tif 000002
【特許請求の範囲】
【請求項１】
ＲＦ‐ＡＧＣ電圧の値に基づいて受信した放送信号の利得制御を行なう利得制御手段を有するテレビジョンにおいて、
選局対象のチャンネルを指示するチャンネル指示信号を入力した際に、予め複数のチャンネルに夫々に対応させて特定の周波数の放送信号を受信するための選局制御情報を記録したプリセット情報を参照し、上記チャンネル指示信号にかかるチャンネルに隣接するチャンネルのうち少なくとも高域側に隣接するチャンネルに対して選局制御情報が記録されているか否か判断することによって、選局対象のチャンネルで受信する放送信号と周波数帯域が隣接する放送信号の有無を検知する隣接信号検知手段と、
放送信号の検波結果と所定の基準値との比較結果に応じてＲＦ‐ＡＧＣ電圧による利得制御を作動させるか否かを分岐する状況において、上記隣接する放送信号が存在する場合には上記基準値の設定を低くするＡＧＣ調整手段とを備えることを特徴とするテレビジョン。
【請求項２】
取得したＡＧＣ電圧の値に基づいて受信した放送信号の利得制御を行なう利得制御手段を有する放送信号受信回路において、
選局対象のチャンネルで受信する放送信号と周波数帯域が隣接する放送信号が存在するか否かを検知する隣接信号検知手段と、
放送信号の検波結果と所定の基準値との比較結果に応じてＡＧＣ電圧による利得制御を作動させるか否かを分岐する状況において、上記隣接する放送信号が存在する場合に上記基準値の設定を変更するＡＧＣ調整手段とを備えることを特徴とする放送信号受信回路。
【請求項３】
上記隣接信号検知手段は、選局対象のチャンネルにかかる周波数帯域の少なくとも高域側に隣接する周波数帯域に放送信号が存在する場合には、上記隣接する放送信号が存在すると判断することを特徴とする請求項２に記載の放送信号受信回路。
【請求項４】
上記隣接信号検知手段は、選局対象のチャンネルを指示するチャンネル指示信号を入力した際に、予め複数のチャンネルに夫々に対応させて特定の周波数の放送信号を受信するための選局制御情報を記録したプリセット情報を参照し、上記チャンネル指示信号にかかるチャンネルに隣接するチャンネルに対して選局制御情報が記録されているか否か判断することによって、上記隣接する放送信号の有無を検知することを特徴とする請求項２または請求項３のいずれかに記載の放送信号受信回路。
【請求項５】
上記ＡＧＣ調整手段は、隣接する放送信号が存在する場合に上記基準値を低く設定することを特徴とする請求項２〜請求項４のいずれかに記載の放送信号受信回路。
【発明の詳細な説明】
【技術分野】
【０００１】
本発明は、テレビジョンおよび放送信号受信回路に関する。
【背景技術】
【０００２】
テレビジョンのチューナにおいて、所望チャンネルの放送信号を受信する場合に、受信対象となる放送信号の周波数帯域と隣接する周波数帯域においていわゆる隣接放送信号が存在すると、混変調や画面上への隣接放送信号の映り込み、ノイズの発生などの現象が生じ問題となっていた。このような問題に対しては、従来より、チューナの出力側やＩＦ（中間周波）段の各回路においてＳＡＷフィルタを含む各種バンドパスフィルタを設置することによって、隣接放送信号による妨害を抑制していた。
【０００３】
また、従来技術として、ＩＦのＡＧＣ制御かまたはＲＦ（高周波）のＡＧＣ制御が行われるようにし、ｄｐｌｅｖｅｌの値を変更しても動作に破綻を生じさせないようにした自動利得制御装置が知られている（例えば、特許文献１参照。）。
【特許文献１】特開２０００‐３１２２３５号公報
【発明の開示】
【発明が解決しようとする課題】
【０００４】
従来のように、隣接放送信号による妨害を各フィルタの働きに頼って排除しようとする場合、必要な周波数帯域の信号波のみを通過させるためにフィルタの設計の精度を極めて高くする必要があり、部品選択の余地が狭く、製品開発のコストを押上げていた。
また、上記文献においては、隣接放送信号による妨害を排除するためには複雑な回路構成及び処理を要していた。
【０００５】
本発明は、上記課題にかんがみてなされたもので、低コストな構成および簡易な処理によって、隣接放送信号による妨害を効果的に抑制可能なテレビジョンおよび放送信号受信回路を提供することを目的とする。
【課題を解決するための手段】
【０００６】
上記目的を達成するために請求項２の発明は、取得したＡＧＣ（Automatic Gain Control）電圧の値に基づいて受信した放送信号の利得制御を行なう利得制御手段を有する放送信号受信回路において、選局対象のチャンネルで受信する放送信号と周波数帯域が隣接する放送信号（隣接放送信号）が存在するか否かを検知する隣接信号検知手段と、放送信号の検波結果と所定の基準値との比較結果に応じてＡＧＣ電圧による利得制御を作動させるか否かを分岐する状況において、上記隣接する放送信号が存在する場合に上記基準値の設定を変更するＡＧＣ調整手段とを備える構成としてある。
【０００７】
上記のように構成した請求項２においては、隣接信号検知手段が、選局対象のチャンネルで受信する放送信号と周波数帯域が隣接する放送信号が存在するか否かを検知する。そして、ＡＧＣ調整手段が、受信した放送信号の検波結果と所定の基準値との比較結果に応じてＡＧＣ電圧による利得制御を作動させるか否かを分岐する状況において、上記隣接する放送信号が存在する場合に上記基準値の設定を変更する処理を行う。その結果、隣接する放送信号が存在する場合には、同隣接する放送信号が無い場合と比較して、利得制御手段がＡＧＣ電圧に基づいた放送信号の利得制御を行う際の条件となる検波結果のレベルが異なった値となる。従って、基準値の変更度合いを適切な値とすることで、ＡＧＣ電圧に基づいた放送信号の利得制御を行う条件が隣接放送信号が存在する場合に対して最適なものとなり、隣接放送信号による混変調や画面上への映り込みやノイズの発生などの妨害を適切に抑えることができる。
【０００８】
請求項３の発明は、請求項２に記載の放送信号受信回路において、上記隣接信号検知手段は、選局対象のチャンネルにかかる周波数帯域の少なくとも高域側に隣接する周波数帯域に放送信号が存在する場合には、上記隣接する放送信号が存在すると判断する構成としてある。つまり、隣接する周波数帯域といっても通常、低域側と高域側とあるが、選局対象のチャンネルにかかる周波数帯域の少なくとも高域側に隣接する周波数帯域に放送信号が存在していれば、上記隣接放送信号は存在するものとする。その結果、選局対象のチャンネルの高域側に存在する隣接放送信号によって引き起こされる各種妨害を、的確に排除できる。
【０００９】
請求項４の発明は、請求項２または請求項３のいずれかに記載の放送信号受信回路において、上記隣接信号検知手段は、選局対象のチャンネルを指示するチャンネル指示信号を入力した際に、予め複数のチャンネルに夫々に対応させて特定の周波数の放送信号を受信するための選局制御情報を記録したプリセット情報を参照し、上記チャンネル指示信号にかかるチャンネルに隣接するチャンネルに対して選局制御情報が記録されているか否か判断することによって、上記隣接する放送信号の有無を検知する構成としてある。
【００１０】
上記のように構成した請求項４においては、放送信号受信回路は、予め複数のチャンネルに夫々に対応させて特定の周波数の放送信号を受信するための選局制御情報を記録したプリセット情報を所定の記憶領域等に保存してある。隣接信号検知手段は、選局対象のチャンネルを指示するチャンネル指示信号を入力した際に、同プリセット情報を参照することによって、チャンネル指示信号にかかるチャンネルに隣接するチャンネルに対して選局制御情報が記録されているか否か判断する。そして、上記隣接するチャンネルに対応して選局制御情報が記録されている場合には、隣接放送信号が存在するとみなす。かかる構成によれば、一つのチャンネルを指定して所望の放送信号を受信しようとした際に隣接放送信号があるか否かを簡易に判断することができ、上記基準値の変更の要否も自動的に分岐できる。
【００１１】
より具体的には、請求項５の発明では、請求項２〜請求項４のいずれかに記載の放送信号受信回路において、上記ＡＧＣ調整手段は、隣接する放送信号が存在する場合に上記基準値を低く設定する構成としてある。その結果、隣接放送信号が存在する場合には、隣接放送信号が無い場合と比較して、検波出力のレベルが低い状況でも利得制御手段によるＡＧＣ電圧に基づいた放送信号の利得制御が実行される。つまり、隣接放送信号が存在する場合には、受信する放送信号の電界強度がある程度低い段階からＡＧＣ電圧による利得制御が実行されて、隣接放送信号までもが不要に増幅されてしまうことを防ぐため、混変調や画面上への映り込みやノイズの発生などの各種妨害が効果的に抑制される。
【００１２】
以上の構成を踏まえたうえで、請求項１の発明は、ＲＦ‐ＡＧＣ電圧の値に基づいて受信した放送信号の利得制御を行なう利得制御手段を有するテレビジョンにおいて、選局対象のチャンネルを指示するチャンネル指示信号を入力した際に、予め複数のチャンネルに夫々に対応させて特定の周波数の放送信号を受信するための選局制御情報を記録したプリセット情報を参照し、上記チャンネル指示信号にかかるチャンネルに隣接するチャンネルのうち少なくとも高域側に隣接するチャンネルに対して選局制御情報が記録されているか否か判断することによって、選局対象のチャンネルで受信する放送信号と周波数帯域が隣接する放送信号の有無を検知する隣接信号検知手段と、放送信号の検波結果と所定の基準値との比較結果に応じてＲＦ‐ＡＧＣ電圧による利得制御を作動させるか否かを分岐する状況において、上記隣接する放送信号が存在する場合には上記基準値の設定を低くするＡＧＣ調整手段とを備える構成としてある。
このような、より具体的な構成において上述した請求項２〜請求項５の各発明と同様の作用を奏することは言うまでもない。
また、本発明にかかる技術的思想は、上記各手段が実行する処理と同様の処理をコンピュータに実行させるプログラムの発明としても把握できる。
【発明の効果】
【００１３】
以上説明したように本発明によれば、選局対象のチャンネルで受信する放送信号に対して隣接放送信号が存在する場合には、自動的に通常よりも検波出力のレベルが低い段階からＡＧＣ電圧による利得制御を実行する状態となるため、隣接放送信号による混変調や画面上への映り込みやノイズの発生などの各種妨害を効果的に抑制することができる。
【発明を実施するための最良の形態】
【００１４】
（１）テレビジョンの概略構成
図１は、本発明の一実施形態にかかるテレビジョン１００を概略的に示している。
同図に示すように、テレビジョン１００は、テレビジョン放送信号を受信するアンテナ１０ａと、チューナＩＣ１０と、クロマＩＣ２０と、マイコン３０等を備えている。マイコン３０とチューナＩＣ１０とクロマＩＣ２０はＩＩＣバス４０を介して相互に接続されている。マイコン３０の内部においては、ＣＰＵ３１がＲＯＭ３２に記憶された所定のプログラムによる処理をＲＡＭ３３をワークエリアとして実行し、テレビジョン１００全体の制御を行なう。また、マイコン３０はリモコンＩ／Ｆ３４を備えており、外部機器としてのリモコン送信機から出力される赤外線明滅信号を入力可能になっている。この赤外線明滅信号はＣＰＵ３１に送出され、ＣＰＵ３１は対応する制御処理を実行する。
【００１５】
チューナＩＣ１０は、いわゆるシンセサイザ方式のチューナであり、マイコン３０からは、選局されたチャンネル（選局チャンネル）に対応する放送信号を受信させるための選局制御情報としての同調電圧が同チューナＩＣ１０に与えられる。チューナＩＣ１０は、選局制御情報を受けて、受信可能な各テレビジョン放送信号のうち選局チャンネルに対応する周波数帯域の信号と同調をとることによって、所望の放送信号を受信する。
【００１６】
チューナＩＣ１０は、高周波増幅回路１１（利得制御手段）と、混合回路１２と、局部発振回路１３とを有している。つまり、チューナＩＣ１０は、マイコン３０の制御により所望の周波数に対応する放送信号をアンテナ１０ａを介して受信し、トランジスタなどによって構成された高周波増幅回路１１において、同受信した放送信号に対する増幅処理を行なって高周波信号を生成する。
【００１７】
高周波増幅回路１１は、クロマＩＣ２０から出力されるＲＦ‐ＡＧＣ電圧の供給を受ける。ＲＦ‐ＡＧＣ電圧は、クロマＩＣ２０におけるＡＧＣ回路２１によって取得される。ＡＧＣ回路２１は、放送信号が強い場合は検波段階までの増幅器の利得を下げ、入力する放送信号が弱い場合は同利得を上げることによって、入力する放送信号の強弱に変化が生じても検波出力を約一定に保つ働きをする。
【００１８】
具体的には、ＡＧＣ回路２１は、ＡＧＣ検波回路とＡＧＣ増幅回路とからなる。ＡＧＣ検波回路は、クロマＩＣ２０における映像検波出力を検出し、同出力レベルに応じてＡＧＣ電圧を抽出してＡＧＣ増幅回路へ出力する。ＡＧＣ増幅回路は、ＡＧＣ電圧を増幅し、ＩＦ‐ＡＧＣ電圧を図示しない中間周波増幅回路へ、ＲＦ‐ＡＧＣ電圧をチューナＩＣ１０の高周波増幅回路１１へそれぞれ供給する。ＲＦ‐ＡＧＣ電圧の供給を受けた高周波増幅回路１１においては、同ＲＦ‐ＡＧＣ電圧に基づいた利得制御（以下、ＡＧＣ制御）が実行される。
【００１９】
上記生成された高周波信号は混合回路１２に出力される。混合回路１２は、高周波増幅回路１１からの出力と、局部発振回路１３において生成された発振信号を混合して中間周波信号に変換し、ＳＡＷフィルタ１０ｂに出力する。ＳＡＷフィルタ１０ｂは、基板上にくし型電極を取り付けたバンドパスフィルタの一種であり、ＳＡＷフィルタ１０ｂを通過して所望の周波数帯域となって抽出された中間周波信号はクロマＩＣ２０に入力する。クロマＩＣ２０においては、入力した中間周波信号に対して所定の検波処理や増幅処理を行い、映像信号と音声信号と水平・垂直ドライブ信号とを抽出する。そして、映像信号はカソードアンプ５０に、音声信号はオーディオアンプ６０に、水平・垂直ドライブ信号は水平偏向回路と垂直偏向回路とからなる偏向回路７０に夫々出力される。
【００２０】
カソードアンプ５０に入力した映像信号は、同カソードアンプ５０において所定の増幅処理を受けた後、ＣＲＴ８０に供給される。ＣＲＴ８０は、同映像信号に基づいて画像表示を行なう。この場合、偏向回路７０においては、水平・垂直ドライブ信号に対応した水平・垂直ドライブ電流が生成され、同水平・垂直ドライブ電流をＣＲＴ８０に取り付けられた図示しない偏向コイルに供給することにより、電子ビームを水平・垂直方向にドライブさせる。一方、オーディオアンプ６０は、入力した音声信号を増幅し、スピーカ９０に供給する。スピーカ９０は同音声信号に基づいて音声を出力する。
【００２１】
（２）隣接放送信号の検知処理およびＡＧＣ制御の調整処理
ここで、選局チャンネルに対応する放送信号（希望放送信号）を受信する場合に、希望放送信号に隣接する周波数帯域において隣接放送信号が存在する場合がある。地上波テレビ放送に用いられているＶＨＦ帯を一例として説明すると、９０ＭＨｚから、９０〜９６ＭＨｚを１ｃｈ、９６〜１０２ＭＨｚを２ｃｈ…というように、所定範囲の帯域を単位として順次各チャンネルに割り当てている。基本的には周波数帯域が隣り合うチャンネルにおいて夫々に放送信号を受信することは避け、１ｃｈ，３ｃｈ，５ｃｈ…というように、とびとびのチャンネルで放送信号を受信することが多いが、チャンネルプリセットの結果によっては、周波数帯域が隣接するチャンネルにおいて放送信号を受信する設定となることもある。この場合、隣接チャンネルで受信可能な隣接放送信号は、妨害信号となりやすい。
【００２２】
このような隣接放送信号は、希望放送信号とともに高周波増幅回路１１に入力され、その結果、隣接放送信号が不要に増幅され、増幅器の飽和や混変調や画面上への隣接放送信号の映り込みやノイズの発生などの各種妨害現象が生じることがあった。
そこで、本実施形態においては、以下に示すように、隣接放送信号があるか否かを判断し、同判断結果に基づいて自動的にＡＧＣ制御の実行態様を変化させるとした。
【００２３】
図２は、マイコン３０が持つプリセットデータ３２ａのデータ構造を模式的に示している。本実施形態においては、プリセットデータ３２ａは、予めＲＯＭ３２に記録されている。
同図に示すように、プリセットデータ３２ａは、１〜ｎまでのチャンネルの番号データと各チャンネルに対応する周波数帯域の放送信号をチューナＩＣ１０に受信させるための同調電圧との組み合わせによって構成されている。同調電圧は、所定の階調数で表されたデジタルデータとして記録されている。プリセットデータ３２ａは、テレビジョン１００が有する公知のプリセット機能を用いて、ユーザがマニュアル操作でチャンネル毎に希望の放送局の放送信号を受信できるように設定することで生成できる。あるいは、テレビジョン１００に公知のオートプリセット機能を持たせ、アンテナ１０ａで受信可能な各局放送信号を自動的に探局し、その地域で受信できる放送信号にチューナＩＣ１０が同調するための同調電圧のレベルを順次各チャンネルに対応させて記録することで、プリセットデータ３２ａを生成してもよい。
【００２４】
プリセットデータ３２ａは、基本的にはマイコン３０による選局制御処理において用いられる。すなわち、マイコン３０は、リモコン送信機から出力された選局チャンネルを指示する赤外線明滅信号（チャンネル指示信号）をリモコンＩ／Ｆ３４を介して入力すると、プリセットデータ３２ａを参照し、同チャンネル指示信号が指示するチャンネルに対応して記録されている同調電圧のデータを読み出す。次に、同読み出した同調電圧をＤ／Ａ変換した上でチューナＩＣ１０に対して出力する。そして、チューナＩＣ１０においては、入力した同調電圧を所定の可変容量ダイオードに加えることで同調周波数を調整し、希望放送信号を受信する。
ここで本実施形態では、プリセットデータ３２ａを、上記選局制御処理だけでなく隣接放送信号が存在するか否かの判断においても利用する。
【００２５】
図３は、マイコン３０が隣接放送信号の有無を判断する際に実行する処理をフローチャートにより示している。かかる処理は、上記選局制御処理の前あるいは後において、実行される。
ステップＳ２００では、マイコン３０は、上記入力したチャンネル指示信号に基づいて、選局チャンネルを特定する。
ステップＳ２１０では、同特定したチャンネルの隣接チャンネルに対して同調電圧にかかるデータが記録されているか否か判断する。
【００２６】
例えば、選局チャンネルが５ｃｈである場合、隣接チャンネルである６ｃｈにも同調電圧にかかるデータが記録されていることから、ステップＳ２１０での分岐は”Ｙｅｓ”となる。ただし当該分岐の判断においては、マイコン３０は選局チャンネルの低域側と高域側との両隣のチャンネルに対して同調電圧が記録されていることを条件に”Ｙｅｓ”とするとしてもよいし、いずれか一方の隣接チャンネルに対して同調電圧が記録されている場合に”Ｙｅｓ”とするとしてもよい。また、選局チャンネルの周波数帯域よりも高い周波数帯域に存在する隣接放送信号によって引き起こされる各種妨害の排除に対して、特に、高周波増幅回路１１での利得を抑える処理が効果的であると言える。そこで、マイコン３０は、少なくとも選局チャンネルより高い周波数帯域の隣接チャンネルに対して同調電圧が記録されていることを条件に”Ｙｅｓ”とするとしてもよい。
【００２７】
ステップＳ２１０で隣接チャンネルに対して同調電圧にかかるデータが記録されていると判断した場合には、マイコン３０は、希望放送信号に隣接する周波数帯域において隣接放送信号が存在すると見なし、ステップＳ２２０において、ＡＧＣ回路２１に対して、ＡＧＣ制御を実行する条件となる検波出力のレベルを低く設定することを指示するＡＧＣ調整指示信号を出力する。
【００２８】
本実施形態では、ＡＧＣ回路２１から高周波増幅回路１１へと出力されるＲＦ‐ＡＧＣ電圧値は、基本的にクロマＩＣ２０における映像検波出力が大きければ小さくなり、同検波出力が小さければ大きくなる特性を持つ。具体的には、ＡＧＣ回路２１は、同検波出力のレベル（例えば、検波出力の最大値）と所定の基準値Ｔｈ１とを比較し、基準値Ｔｈ１を下回っているときは出力するＲＦ‐ＡＧＣ電圧を所定の最大値Ｖ１に略固定し、検波出力のレベルが基準値Ｔｈ１を越えた場合に、その大きさに応じて徐々にＲＦ‐ＡＧＣ電圧を低下させる、いわゆる遅延型のＡＧＣ回路となっている。その結果、検波出力のレベルがある程度小さい場合、すなわち入力した放送信号が弱入力の範囲（例えば、０〜６０ｄＢμ）であるうちは、ＲＦ‐ＡＧＣ電圧は最大値Ｖ１となり高周波増幅回路１１においてＡＧＣ制御が実行されず同回路での増幅率は最大となる。一方、検波出力のレベルが基準値Ｔｈ１を越える程度が大きくなるほどに、すなわち放送信号が強入力となるほどにＲＦ‐ＡＧＣ電圧は低下し、これにつれて高周波増幅回路１１での増幅率も低下する。
【００２９】
かかる基本的構成において、ＡＧＣ回路２１は、マイコン３０からＡＧＣ調整指示信号を受けた場合、上記基準値の設定をＴｈ１からＴｈ２（Ｔｈ２＜Ｔｈ１）へと変更する処理を行う。その結果、上記検波出力のレベルが基準値Ｔｈ２を超えた時点で、ＡＧＣ回路２１から出力されるＲＦ‐ＡＧＣ電圧はその値を低下させるようになる。つまり、基準値がＴｈ１であったときにはＲＦ‐ＡＧＣ電圧が最大値Ｖ１に略固定されていたような、電界強度の低い放送信号を入力する場合でも、基準値をＴｈ２へと変更することで、検波出力のレベルが基準値Ｔｈ２を上回りやすくなり、放送信号の電界強度が比較的低い段階からＲＦ‐ＡＧＣ電圧は最大値Ｖ１から低下していく。その結果、高周波増幅回路１１においてＡＧＣ制御が実行される条件も緩和される。
【００３０】
一方、マイコンは３０、隣接チャンネルに対して同調電圧にかかるデータが記録されていない場合は、希望放送信号に隣接する周波数帯域には隣接放送信号は存在しないと見なし、ＡＧＣ調整指示信号をＡＧＣ回路２１に送信することはしない。この場合、ＡＧＣ回路２１においては基準値はＴｈ１のままであり、通常通り、検波出力のレベルと基準値Ｔｈ１との比較結果に応じて、ＡＧＣ制御の実行・不実行を分岐する。なお、ＡＧＣ回路２１は、上記基準値Ｔｈ１，Ｔｈ２の値を予め所定の記憶装置に保存しておき、ＡＧＣ調整指示信号の有無に応じて、何れかの基準値を読み出して採用すればよい。
【００３１】
図４は、放送信号の電界強度とＲＦ‐ＡＧＣ電圧との関係を示している。
同図においては、縦軸をＲＦ‐ＡＧＣ電圧、横軸を放送信号の電界強度としている。図中の実線は、基準値がＴｈ１である場合のＲＦ‐ＡＧＣ電圧の変化態様を示しており、破線は基準値がＴｈ２である場合のＲＦ‐ＡＧＣ電圧の変化態様を示している。つまり、基準値Ｔｈ１を採用する場合と比較して基準値Ｔｈ２を採用した場合は、放送信号の電界強度がより低い段階からＲＦ‐ＡＧＣ電圧がＶ１から変化することが示されている。その結果、高周波増幅回路１１においては、上記基準値Ｔｈ１を採用していた場合と比較して、放送信号の電界強度がより低い段階からＲＦ‐ＡＧＣ電圧に基づく利得制御が実行され、増幅率を低下させることになる。
【００３２】
（３）まとめ
このように本発明によれば、マイコン３０は、チャンネル指示信号の入力を契機として、予め用意されたプリセットデータ３２ａを参照することによって希望放送信号に隣接する周波数帯域において隣接放送信号が存在するか否かを簡易的に判断し、存在すると判断した場合には、ＡＧＣ回路２１が基準値をそれまでよりも低く設定する。そのため、高周波増幅回路１１でのＲＦ‐ＡＧＣ電圧による利得制御が実行される条件が緩和され、放送信号の電界強度が比較的低い段階から同利得制御が実行される。その結果、隣接放送信号対する不要な増幅処理によって高周波増幅回路１１が飽和してしまったり、同隣接放送信号による混変調や画面上への映り込みやノイズが発生するといった各種妨害を、効果的に防止することができる。また、本発明は、通常のテレビジョン１００におけるプリセットデータ３２ａとＡＧＣ回路２１という構成要素を持つことで実現可能であり、他の複雑な回路構成や余分なハードウェアを必要としないため、簡易な構成かつ処理によって上記効果を発揮することができる。
【図面の簡単な説明】
【００３３】
【図１】本発明の一実施形態にかかるテレビジョンの概略構成図である。
【図２】プリセットデータの説明図である。
【図３】隣接放送信号の有無判断の処理を示すフローチャートである。
【図４】ＲＦ‐ＡＧＣ電圧の変化特性を示した図である。
【符号の説明】
【００３４】
１０…チューナＩＣ
１０ａ…アンテナ
１０ｂ…ＳＡＷフィルタ
１１…高周波増幅回路
１２…混合回路
１３…局部発振回路
２０…クロマＩＣ
２１…ＡＧＣ回路
３０…マイコン
３１…ＣＰＵ
３２…ＲＯＭ
３２ａ…プリセットデータ
３３…ＲＡＭ
３４…リモコンＩ／Ｆ
５０…カソードアンプ
６０…オーディオアンプ
７０…偏向回路
８０…ＣＲＴ
９０…スピーカ
１００…テレビジョン
【図１】
2006148785.tif 000003
【図２】
2006148785.tif 000004
【図３】
2006148785.tif 000005
【図４】
2006148785.tif 000006